(57)【特許請求の範囲】
【請求項１】
発射装置によって打ち出された遊技球を遊技領域へ導くためのパチンコ機用発射レールであって、
長手方向に沿って遊技球通過溝が設けられているとともに、その遊技球通過溝の両脇に、端縁を下方に向けた板状に形成された第１係止帯状部、及び前記第１係止帯状部と一体的に形成され、前記遊技球通過溝の上方を覆うように断面Ｌ字状に折り曲げ形成された第２係止帯状部を備えた長尺なレール本体と、
前記レール本体の第１係止帯状部と第２係止帯状部とを、それぞれ別々に係止する第１係止領域と第２係止領域とが設けられているとともに、下側の端縁際に穿設された遊技球通過口に遊技球停止体が添設されたレール取付部材とを備えており、
前記第２係止帯状部が前記遊技球通過口側へと下降する傾斜状となるように、前記レール本体を前記レール取付部材に取り付けてなることを特徴とするパチンコ機用発射レール。
【発明の詳細な説明】
【０００１】
【発明の属する技術分野】
本発明は、パチンコ機の構成部品に関するものであり、詳しくは、発射装置によって打ち出された遊技球を遊技領域へ導くためのパチンコ機用発射レールに関するものである。
【０００２】
【従来の技術】
従来のパチンコ機用発射レールとしては、たとえば、図１５、図１６に示すようなものが知られている。パチンコ機用発射レール５１は、金属製のレール本体５２と、レール取付部材５３との２つの部品が一体的に組み立てられて形成されており、レール本体５２の係止突出部５４，５４・・が、ネジ５５，５５・・によって、レール取付部材５３の係止体５６，５６・・に螺着され、レール取付部材５３の係止挿入孔５７，５７穿設部位にレール本体５２の係止舌片５８，５８が挿入され、レール取付部材５３の載置部位５９にレール本体５２の帯状舌片６０が載置された状態になっている。かかるパチンコ機用発射レール５１は、レール取付部材５３に穿設されたネジ孔６１，６１・・を利用して、レール本体５２の上部のスペースがパチンコ機前面の供給皿と連通するように、パチンコ機内の発射装置の側方に設置され、供給皿に供給された遊技球を発射装置が打ち出し可能なようにレール本体５２上に保持する機能を実現する。
【０００３】
【発明が解決しようとする課題】
しかしながら、上記従来のパチンコ機用発射レール５１は、レール本体５２とレール取付部材５３との組み立て強度が不十分であるため、長期間使用された場合には、レール本体５２とレール取付部材５３との位置関係がずれたり、レール本体５２がレール取付部材５３から部分的に外れたりすることもあった。さらに、長期間に亘る遊技球の繰り返し載置によって、レール本体５２が折れ曲がったり、破損したりすることもあった。
【０００４】
本発明の目的は、上記従来のパチンコ機用発射レールの問題点を解消し、長期間使用した場合であっても、レール本体とレール取付部材との位置関係がずれたり、レール本体がレール取付部材から外れたりしない上、レール本体が折れ曲がったり、破損したりしないパチンコ機用発射レールを提供することにある。
【０００５】
【課題を解決するための手段】
かかる本発明の請求項１に記載された発明の構成は、発射装置によって打ち出された遊技球を遊技領域へ導くためのパチンコ機用発射レールであって、長手方向に沿って遊技球通過溝が設けられているとともに、その遊技球通過溝の両脇に、端縁を下方に向けた板状に形成された第１係止帯状部、及び前記第１係止帯状部と一体的に形成され、前記遊技球通過溝の上方を覆うように断面Ｌ字状に折り曲げ形成された第２係止帯状部を備えた長尺なレール本体と、前記レール本体の第１係止帯状部と第２係止帯状部とを、それぞれ別々に係止する第１係止領域と第２係止領域とが設けられているとともに、下側の端縁際に遊技球停止体が設けられたレール取付部材とを備えており、前記第２係止帯状部が前記遊技球停止体側へと下降する傾斜状となるように、前記レール本体を前記レール取付部材に取り付けてなることにある。
【０００７】
【発明の実施の形態】
以下、本発明のパチンコ機用発射レール（以下、単に発射レールという）を、図面に基づいて詳細に説明する。
【０００８】
［実施例１］
図１、図２は、それぞれ、実施例１の発射レールの斜視図、分解斜視図であり、発射レール１ａは、金属製のレール本体２ａと、同じく金属製のレール取付部材３ａとの２つの部品によって形成されている。
【０００９】
レール取付部材３ａは、平板で長尺状の本体部３０ａに、第１係止領域であり円柱状の３つの係止体４ａ，４ａ・・が一直線上に突設されている。また、それらの係止体４ａ，４ａ・・を結ぶ線の上方に、２つのネジ孔５ａ，５ａが穿設されており、それらのネジ孔５ａ，５ａ穿設部位が第２係止領域になっている。さらに、最も右端の係止体４ａと隣接した部位には、遊技球通過口６が穿設されており、遊技球通過口６には、Ｌ字状に折れ曲がった中空箱型形状の遊技球停止体７ａが添設されている。
【００１０】
また、図３（ａ），図３（ｂ）は、それぞれ、レール本体２ａの正面図、平面図であり、レール本体２ａは、長尺な金属板が長手方向に沿って適宜折り曲げられて形成されている。図３（ｃ）は、図３（ａ）におけるＡ−Ａ線断面を示したものであり、レール本体２ａは、幅方向の略中央に谷溝状の遊技球通過溝８ａが設けられている。そして、その遊技球通過溝８ａの片脇には、第１係止帯状部９ａが一体的に折り曲げ形成されており、その端縁が下方を向いた状態になっている。一方、遊技球通過溝８ａの他方の脇（第１係止帯状部９ａと反対側の脇）には、断面が略Ｌ字状の第２係止帯状部１０ａが一体的に折り曲げ形成されており、その端縁が遊技球通過溝８ａの上方を覆った状態になっている。なお、レール本体２ａは、第１係止帯状部９ａに３個のネジ孔１１ａ，１１ａ・・が穿設されており、第２係止帯状部１０ａに２個のネジ孔１２ａ，１２ａが穿設されている。
【００１１】
発射レール１ａは、レール本体２ａの第１係止帯状部９ａが、ネジ３１，３１・・によって、レール取付部材３ａの係止体４ａ，４ａ・・に螺着され、レール取付部材３ａのネジ孔５ａ，５ａ穿設部位に、ネジ３１，３１・・によって、レール本体２ａの第２係止帯状部１０ａが螺着された状態で、レール本体２ａとレール取付部材３ａとが一体的に組み付けられている。
【００１２】
一方、図４は、発射レール１ａを設置した状態のパチンコ機を示したものであり、発射レール１ａは、レール取付部材３ａの裏面が、パチンコ機１３ａの内部に設置された裏面枠１４の表面に、ネジ挿通孔３５ａ，３５ａを利用して螺着されることによって、遊技球停止体７ａを右側にした状態で、右下がりに設置されている（図４は、前面枠１５に蝶着されたガラス枠１６を開放した状態のパチンコ機１３ａを示したものである）。なお、設置された発射レール１ａの遊技球停止体７ａの上方には、帯状の金属板からなる回収部材１７が、裏面枠１４の表面と垂直に設けられており、発射レール１ａの遊技球停止体７ａの上方左端の部位からその右側上方の部位にかけて略Ｌ字状に折り曲がった状態になっている。また、発射レール１ａが設置された裏面枠１４の上方には、遊技盤２８が設置されている。そして、その遊技盤２８の表面には、帯状の金属板からなる遊技球レール２６が略円形に垂設されており、その遊技球レール２６の内部は、周囲と区画された遊技領域２７になっている。また、褶曲した遊技球レール２６同士の間は、円弧状の遊技球導球路２９になっており、その遊技球導球路２９の接線上に発射レール１ａが位置した状態になっている。
【００１３】
また、図５は、発射レール１ａを設置したパチンコ機１３ａの裏面側の一部を示したものであり、図６は、図５におけるＡ−Ａ線断面を示したものである。ガラス枠１６の下方の前面側には、供給皿３４が突設されており、その供給皿３４の内部は、供給皿３４の裏側に穿設された遊技球供給口１８を介して、発射レール１ａの遊技球停止体７ａの左側のスペースと連通した状態になっている。さらに、パチンコ機１３ａの中央の下方には貯留皿１９が突設されており、その貯留皿１９の内部は、貯留皿１９の後方に設けられた下賞品球払出口２０、およびパチンコ機の裏面に設けられた遊技球通路２１を介して、レール取付部材３ａに穿設された遊技球通過口６と連通した状態になっている。さらに、貯留皿１９の右側には、パチンコ機１３ａの裏面に設置された発射装置２２を作動させるための発射ハンドル２３が突設されている。
【００１４】
発射レール１ａが設置されたパチンコ機１３ａは、供給皿３４内に遊技球が供給されると、それらの遊技球が、ガラス枠１６の下方の遊技球供給口１８を通って、発射レール１ａのレール本体２ａ上の遊技球停止体７ａと隣接したスペースに導かれるようになっている。そして、その状態で、発射ハンドル２３が回動操作されると、発射装置２２のモータ２４が作動し、発射槌２５によって、レール本体２ａ上の遊技球が遊技球通過溝８ａに沿って打ち出され、遊技球導球路２９を通って、遊技領域２７まで運ばれるようになっている。
【００１５】
上記の如くパチンコ機１３ａに設置された発射レール１ａは、レール本体２ａの第１係止帯状部９ａがレール取付部材３ａの第１係止領域（係止体４ａ，４ａ・・突設部位）に係止され、レール本体２ａの第２係止帯状部１０ａがレール取付部材３ａの第２係止領域（ネジ孔５ａ，５ａ穿設部位）に当接した状態で係止されることによって、レール本体２ａとレール取付部材３ａとが、固着されているため、固着強度がきわめて高く、長期間使用された場合であっても、決してレール本体２ａがレール取付部材３ａから外れたりしないし、レール本体２ａとレール取付部材３ａとの位置関係がずれたりしない。また、発射レール１ａのレール本体２ａは、遊技球通過溝８ａの両脇に第１係止帯状部９ａと第２係止帯状部１０ａとが一体的に折り曲げ形成されているため、強度が高く、長期間使用された場合であっても、決して折れ曲がったり、破損したりしない。
【００１６】
さらに、パチンコ機１３ａは、発射レール１ａの第２係止帯状部１０ａ、および回収部材１７が、裏面枠１４に垂直に設けられているとともに、それぞれ右下がり、左下がりの傾斜状に設けられており、第２係止帯状部１０ａおよび回収部材１７の上に落下した遊技球が、第２係止帯状部１０ａおよび回収部材１７によって回収され、遊技球通過口６から遊技球通路２１を通り、下賞品球払出口２０を経て貯留皿１９に回収される（遊技者に戻される）ようになっている。このため、遊技領域２７内で遊技球がブリッジ（凝集）を形成している状態でガラス枠が開放され、ブリッジを形成していた遊技球が落下した場合であっても、それらの遊技球が発射レール１ａのレール本体２ａ上に入り込んで遊技領域２７への遊技球の打ち込みがままならなくなる、という事態や、ブリッジを形成していた遊技球がパチンコ機１３ａの外側に落ちることに起因して遊技者の気分が害される、という事態が生じない（図４〜図６参照）。
【００１７】
［実施例２］
図７、図８は、それぞれ、実施例２の発射レールの斜視図、分解斜視図であり、実施例２の発射レール１ｂは、実施例１の発射レール１ａと同様に、金属製のレール本体２ｂと、同じく金属製のレール取付部材３ｂとの２つの部品によって形成されているが、レール取付部材３ｂの遊技球停止体７ｂ周辺部位の形状、レール本体２ｂの第２係止帯状部１０ｂの形状等が、実施例１の発射レール１ａと異なっている。
【００１８】
レール取付部材３ｂは、実施例１のレール取付部材３ａと同様に、平板で長尺状の本体部３０ｂに、第１係止領域であり円柱状の３つの係止体４ｂ，４ｂ・・が直線上に突設されている。また、レール取付部材３ｂの本体部３０ｂは、上辺に沿って３つの挿入長孔３２，３２・・が穿設されており、それらの挿入長孔３２，３２・・穿設部位が第２係止領域になっている。さらに、最も右端の挿入長孔３２と隣接するように、遊技球停止体７ｂが折れ曲げ形成されており、その遊技球停止体７ｂの先端面は、挿入長孔３２の長手方向と直交した状態になっている。
【００１９】
また、図９（ａ），図９（ｂ）は、それぞれ、レール本体２ｂの正面図、平面図であり、図９（ｃ）は、図９（ａ）におけるＡ−Ａ線断面を示したものである。レール本体２ｂは、実施例１のレール本体２ａと同様に、長尺な金属板が長手方向に沿って適宜折り曲げられて形成され、幅方向の略中央に谷溝状の遊技球通過溝８ｂが設けられている。そして、その遊技球通過溝８ｂの片脇には、第１係止帯状部９ｂが一体的に折り曲げ形成されており、他脇には、第２係止帯状部１０ｂが一体的に折り曲げ形成されている。さらに、その第２係止帯状部１０ｂには、３つの係止舌片３３，３３・・が形成されている。なお、第１係止帯状部９ｂには、実施例１のレール本体２ａと同様に、３個の下部ネジ孔１１ｂ，１１ｂ・・が穿設されている。
【００２０】
発射レール１ｂは、レール取付部材３ｂの挿入長孔３２，３２・・穿設部位に、レール本体２ｂの第２係止帯状部１０ｂの係止舌片３３が挿入され、レール本体２ｂの第１係止帯状部９ｂが、ネジ３１，３１・・によって、レール取付部材３ｂの係止体４ｂ，４ｂ・・に螺着された状態で、レール本体２ｂとレール取付部材３ｂとが一体的に組み付けられている。
【００２１】
一方、図１０は、発射レール１ｂを設置した状態のパチンコ機を示したものであり、発射レール１ｂは、実施例１の発射レール１ａと同様に、パチンコ機１３ｂの裏面枠１４の表面に、遊技球停止体７ｂを右側にした状態で、右下がりに設置されている。
【００２２】
発射レール１ｂが設置されたパチンコ機１３ｂは、実施例１の発射レール１ａと同様に、供給皿３４内に遊技球が供給されると、それらの遊技球が、発射レール１ｂのレール本体２ｂ上の遊技球停止体７ｂと隣接したスペースに導かれ、その状態で、発射ハンドル２３が回動操作されると、レール本体２ｂ上の遊技球が遊技球通過溝８ｂに沿って打ち出され、遊技領域２７まで運ばれるようになっている。
【００２３】
上記の如くパチンコ機１３ｂに設置された発射レール１ｂは、レール本体２ｂの第２係止帯状部１０ｂの係止舌片３３がレール取付部材３ｂの第２係止領域（挿入長孔３２，３２・・穿設部位）に係止され、レール本体２ｂの第１係止帯状部９ｂがレール取付部材３ｂの第１係止領域（係止体４ｂ，４ｂ・・突設部位）に係止された状態で、レール本体２ｂとレール取付部材３ｂとが、固着されているため、実施例１の発射レール１ａと同様に、固着強度が高く、長期間使用された場合であっても、レール本体２ｂがレール取付部材３ｂから外れたりしないし、レール本体２ｂとレール取付部材３ｂとの位置関係がずれたりしない。また、発射レール１ｂのレール本体２ｂも、実施例１のレール本体２ａと同様に、遊技球通過溝８ｂの両脇に第１係止帯状部９ｂと第２係止帯状部１０ｂとが一体的に折り曲げ形成されているため、強度が高く、長期間使用された場合であっても、決して折れ曲がったり、破損したりしない。
【００２４】
［実施例３］
図１１、図１２は、それぞれ、実施例３の発射レールの斜視図、分解斜視図であり、実施例３の発射レール１ｃは、実施例１の発射レール１ａと同様に、金属製のレール本体２ｃと、同じく金属製のレール取付部材３ｃとの２つの部品によって形成されているが、レール取付部材３ｃの遊技球停止体７ｃ周辺部位の形状、レール本体２ｃの第２係止帯状部１０ｃの形状等が、実施例１の発射レール１ａと異なっている。
【００２５】
レール取付部材３ｃは、実施例１のレール取付部材３ａと同様に、平板で長尺状の本体部３０ｃに、第１係止領域であり円柱状の３つの係止体４ｃ，４ｃ・・が一直線上に突設されており、それらの係止体４ｃ，４ｃ・・を結ぶ線の上方に、３つのネジ孔５ｃ，５ｃ・・が穿設されており、それらのネジ孔５ｃ，５ｃ・・穿設部位が第２係止領域になっている。さらに、最も右端の係止体４ｃと隣接するように、遊技球停止体７ｃが折れ曲げ形成されており、その遊技球停止体７ｃの先端面は、ネジ孔５ｃ，５ｃ・・を結んだ直線と直交した状態になっている。
【００２６】
また、図１３（ａ），図１３（ｂ）は、それぞれ、レール本体２ｃの正面図、平面図であり、図１３（ｃ）は、図１３（ａ）におけるＡ−Ａ線断面を示したものである。レール本体２ｃは、実施例１のレール本体２ａと同様に、長尺な金属板が長手方向に沿って適宜折り曲げられて形成され、幅方向の略中央に谷溝状の遊技球通過溝８ｃが設けられている。そして、その遊技球通過溝８ｃの片脇には、第１係止帯状部９ｃが一体的に折り曲げ形成されているとともに、他脇には、第２係止帯状部１０ｃが一体的に折り曲げ形成されており、それらの第１係止帯状部および第２係止帯状部は、互いに平行に配置された状態になっている（図１３（ｃ）参照）。なお、第１係止帯状部および第２係止帯状部には、それぞれ、３個ずつ、ネジ孔１１ｃ，１１ｃ・・およびネジ孔１２ｃ，１２ｃが穿設されている。
【００２７】
発射レール１ｃは、レール本体２ｃの第１係止帯状部９ｃが、ネジ３１，３１・・によって、レール取付部材３ｃの係止体４ｃ，４ｃ・・に螺着され、レール取付部材３ｃのネジ孔５ｃ，５ｃ・・穿設部位に、ネジ３１，３１・・によって、レール本体２ｃの第２係止帯状部１０ｃが螺着された状態で、レール本体２ｃとレール取付部材３ｃとが一体的に組み付けられている。
【００２８】
一方、図１４は、発射レール１ｃを設置した状態のパチンコ機を示したものであり、発射レール１ｃは、実施例１の発射レール１ａと同様に、パチンコ機１３ｃの裏面枠１４の表面に、遊技球停止体７ｃを右側にした状態で、右下がりに設置されている。
【００２９】
発射レール１ｃが設置されたパチンコ機１３ｃは、実施例１の発射レール１ａと同様に、供給皿３４内に遊技球が供給されると、それらの遊技球が、発射レール１ｃのレール本体２ｃ上の遊技球停止体７ｃと隣接したスペースに導かれ、その状態で、発射ハンドル２３が回動操作されると、レール本体２ｃ上の遊技球が遊技球通過溝８ｃに沿って打ち出され、遊技領域２７まで運ばれるようになっている。
【００３０】
上記の如くパチンコ機１３ｃに設置された発射レール１ｃは、レール本体２ｃの第１係止帯状部９ｃがレール取付部材３ｃの第１係止領域（係止体４ａ，４ａ・・突設部位）に係止され、レール本体２ｃの第２係止帯状部１０ｃがレール取付部材３ｃの第２係止領域（ネジ孔５ｃ，５ｃ穿設部位）に係止された状態で、レール本体２ｃとレール取付部材３ｃとが、固着されているため、実施例１の発射レール１ａと同様に、固着強度が高く、長期間使用された場合であっても、レール本体２ｃがレール取付部材３ｃから外れたりしないし、レール本体２ｃとレール取付部材３ｃとの位置関係がずれたりしない。また、発射レール１ｃのレール本体２ｃも、実施例１のレール本体２ａと同様に、遊技球通過溝８ｃの両脇に第１係止帯状部９ｃと第２係止帯状部１０ｃとが一体的に折り曲げ形成されているため、強度が高く、長期間使用された場合であっても、決して折れ曲がったり、破損したりしない。
【００３１】
なお、本発明の発射レールは、上記した各実施形態の態様に何ら限定されるものではなく、レール本体、レール取付部材の形状、構造、パチンコ機への設置方法等の構成を、本発明の趣旨を逸脱しない範囲で適宜変更することができる。
【００３２】
たとえば、レール取付部材に突設する係止体の個数、レール本体やレール取付部材に穿設されるネジ孔の個数、レール本体に設ける係止舌片の個数等は、必要に応じて変更することが可能である。
【００３３】
また、発射レールのレール本体、レール取付部材等の各部品は、必ずしも金属によって形成する必要はなく、硬質で靱性に優れたプラスチック等によって形成することも可能である。
【００３４】
さらに、レール取付部材は、遊技球停止体が本体部と別々に形成された後に、組み合わせ形成されたものであっても良い。
【００３５】
加えて、レール本体とレール取付部材との固着方法は、ネジやボス等を利用した螺着方法に限定されるものではなく、接着剤を用いた接着方法や溶接等の方法を利用することも可能である。
【００３６】
【発明の効果】
本発明に係る発射レールは、長手方向に沿って遊技球通過溝が設けられているとともに、その遊技球通過溝の両脇に第１係止帯状部と第２係止帯状部とが一体的に折り曲げ形成された長尺なレール本体と、レール本体の第１係止帯状部と第２係止帯状部とを、それぞれ別々に係止する第１係止領域と第２係止領域とが設けられているとともに、下側の端縁際に遊技球停止体が設けられたレール取付部材とからなるものであるので、長期間使用された場合であっても、レール本体がレール取付部材から外れたりしないし、レール本体とレール取付部材との位置関係がずれたりしない。また、レール本体の強度が高いため、長期間使用された場合であっても、レール本体が折れ曲がったり、破損したりしない。
また、第１係止帯状部が、端縁を下方に向けた板状に形成されており、第２係止帯状部が、断面Ｌ字状に折り曲げ形成されており、遊技球通過溝の上方を覆っているとともに、第２係止帯状部が遊技球通過口側へと下降する傾斜状となるように、レール本体をレール取付部材に取り付けている。したがって、第２係止帯状部の上に落下した遊技球が、第２係止帯状部によって遊技球通過口へと導かれ、遊技球通過口から回収されるため、設置されたパチンコ機において、遊技領域内で遊技球がブリッジを形成している状態でガラス枠が開放され、ブリッジを形成していた遊技球が落下した場合であっても、それらの遊技球が発射レールのレール本体上に入り込んで遊技領域への遊技球の打ち込みがままならなくなる、という事態や、ブリッジを形成していた遊技球がパチンコ機の外側に落ちることに起因して遊技者の気分が害される、という事態が生じない。
【図面の簡単な説明】
【図１】実施形態の発射レールの斜視図である。
【図２】実施形態の発射レールの分解斜視図である。
【図３】実施形態の発射レールの一部であるレール本体を示す説明図である。
【図４】実施形態の発射レールを設置したパチンコ機を示す説明図である。
【図５】実施形態の発射レールを設置したパチンコ機の裏面の一部を示す説明図である。
【図６】図５におけるＡ−Ａ線断面を示す説明図である。
【図７】実施形態の発射レールの斜視図である。
【図８】実施形態の発射レールの分解斜視図である。
【図９】実施形態の発射レールの一部であるレール本体を示す説明図である。
【図１０】実施形態の発射レールを設置したパチンコ機を示す説明図である。
【図１１】実施形態の発射レールの斜視図である。
【図１２】実施形態の発射レールの分解斜視図である。
【図１３】実施形態の発射レールの一部であるレール本体を示す説明図である。
【図１４】実施形態の発射レールを設置したパチンコ機を示す説明図である。
【図１５】従来の発射レールの斜視図である。
【図１６】従来の発射レールの分解斜視図である。
【符号の説明】
１ａ，１ｂ，１ｃ・・発射レール、２ａ，２ｂ，２ｃ・・・レール本体、３ａ，３ｂ，３ｃ・・・レール取付部材、４ａ，４ｂ，４ｃ・・・係止体、５ａ，５ｃ・・・ネジ孔、６・・遊技球通過口、７ａ，７ｂ，７ｃ・・・遊技球停止体、８ａ，８ｂ，８ｃ・・・遊技球通過溝、９ａ，９ｂ，９ｃ・・・第１係止帯状部、１０ａ，１０ｂ，１０ｃ・・・第２係止帯状部、１１ａ，１１ｂ，１１ｃ・・下部ネジ孔、１２ａ，１２ｂ，１２ｃ・・上部ネジ孔、１３ａ，１３ｂ，１３ｃ・・・パチンコ機、１４・・裏面枠、１５・・前面枠、１６・・ガラス枠、１７・・回収部材、１８・・遊技球供給口、１９・・貯留皿、２０・・下賞品球払出口、２１・・遊技球通路、２２・・発射装置、２３・・発射ハンドル、２４・・モータ、２５・・発射槌、２６・・遊技球レール、２７・・遊技領域、２８・・遊技盤、２９・・遊技球導球路、３０・・本体部、３１・・ネジ、３２・・挿入長孔、３３・・係止舌片、３４・・供給皿、３５ａ，３５ｂ，３５ｃ・・ネジ挿通孔、５１・・発射レール、５２・・レール本体、５３・・レール取付部材、５４・・係止突出部、５５・・ネジ、５６・・係止体、５７・・係止挿入孔、５８・・係止舌片、５９・・載置部位、６０・・帯状舌片、６１・・ネジ孔。
【図１】
0003738344.tif 000002
【図２】
0003738344.tif 000003
【図３】
0003738344.tif 000004
【図４】
0003738344.tif 000005
【図５】
0003738344.tif 000006
【図６】
0003738344.tif 000007
【図７】
0003738344.tif 000008
【図８】
0003738344.tif 000009
【図９】
0003738344.tif 000010
【図１０】
0003738344.tif 000011
【図１１】
0003738344.tif 000012
【図１２】
0003738344.tif 000013
【図１３】
0003738344.tif 000014
【図１４】
0003738344.tif 000015
【図１５】
0003738344.tif 000016
【図１６】
0003738344.tif 000017